(57)【要約】【課題】０組待ちの状態でユーザ端末からの順番待ち予約を好適に受け付けるための予約システムを提供することを解決すべき課題とする。【解決手段】施設における順番待ち予約の管理を行う予約システムであって、施設内に設置された端末及び、施設外にあるユーザ端末から入力された順番待ち予約を受け付け、予約の登録を行う受付手段と、登録された予約に基づいて、順番待ち予約に関する処理を行う受付管理手段と、を備え、前記受付手段は、待ち行列の順番待ち顧客がいない状況下で前記ユーザ端末を介して入力された第１の順番待ち予約を受け付け、予約の登録を行い、前記受付管理手段は、前記第１の順番待ち予約が登録された場合、少なくとも他のユーザ端末を予約経路とした第２以降の順番待ち予約の受付抑止処理を行うことを特徴とする。【選択図】図１
2019114206.tif 000002
【特許請求の範囲】
【請求項１】
施設における順番待ち予約の管理を行う予約システムであって、
施設内に設置された端末及び、施設外にあるユーザ端末から入力された順番待ち予約を受け付け、予約の登録を行う受付手段と、
登録された予約に基づいて、順番待ち予約に関する処理を行う受付管理手段と、を備え、
前記受付手段は、待ち行列の順番待ち顧客がいない状況下で前記ユーザ端末を介して入力された第１の順番待ち予約を受け付け、予約の登録を行い、
前記受付管理手段は、前記第１の順番待ち予約が登録された場合、少なくとも他のユーザ端末を予約経路とした第２以降の順番待ち予約の受付抑止処理を行うことを特徴とする予約システム。
【請求項２】
前記受付抑止処理は、前記第１の順番待ち予約を施設の開店時間前に受け付けた場合、行われないことを特徴とする請求項１に記載の予約システム。
【請求項３】
前記受付抑止処理は、所定時間の経過により解除され、
前記所定時間は、前記第１の順番待ち予約に際してユーザ端末を介して入力されることを特徴とする請求項１又は請求項２に記載の予約システム。
【請求項４】
登録された予約情報に対して操作を行う為の変更手段を更に備え、
所定時間の経過に替えて／又は加えて、前記第１の順番待ち予約に関する予約情報に対して前記変更手段が行う所定の操作処理を転機として、前記受付抑止処理は解除されることを特徴とする請求項１〜３の何れかに記載の予約システム。
【請求項５】
登録された予約情報に対して操作を行う為の変更手段を更に備え、
前記変更手段は、前記ユーザ端末を介した前記第１の順番待ち予約の登録後、前記第１の順番待ち予約の来訪処理前に、施設内に設置された端末を介して第２以降の順番待ち予約が登録された場合、前記第１の順番待ち予約に先駆けて前記第２以降の順番待ち予約に対する来訪処理が可能であることを特徴とする請求項１〜４の何れかに記載の予約システム。
【請求項６】
施設における順番待ち予約の管理を行う予約システムにおける予約方法であって、
施設内に設置された端末及び、施設外にあるユーザ端末から入力された順番待ち予約を受け付け、予約の登録を行う受付手段が、待ち行列の順番待ち顧客がいない状況下で前記ユーザ端末を介して入力された第１の順番待ち予約を受け付け、予約の登録を行うステップと、
登録された予約に基づいて、順番待ち予約に関する処理を行う受付管理手段が、前記第１の順番待ち予約が登録された場合、少なくとも他のユーザ端末を予約経路とした第２以降の順番待ち予約の受付抑止処理を行うステップと、を有することを特徴とする予約方法。
【請求項７】
施設における順番待ち予約の管理を行う予約プログラムであって、
コンピュータを、施設内に設置された端末及び、施設外にあるユーザ端末から入力された順番待ち予約を受け付け、予約の登録を行う受付手段と、
登録された予約に基づいて、順番待ち予約に関する処理を行う受付管理手段と、として機能させ、
前記受付手段は、待ち行列の順番待ち顧客がいない状況下で前記ユーザ端末を介して入力された第１の順番待ち予約を受け付け、予約の登録を行い、
前記受付管理手段は、前記第１の順番待ち予約が登録された場合、少なくとも他のユーザ端末を予約経路とした第２以降の順番待ち予約の受付抑止処理を行うことを特徴とする予約プログラム。
【発明の詳細な説明】
【技術分野】
【０００１】
本発明は、施設等において、ユーザの予約を管理する為の予約システム、予約方法および予約プログラムに関する。
【背景技術】
【０００２】
従来から、飲食店、携帯電話ショップ等の窓口業務を行う店舗、理容所・美容院、病院等の施設において、サービス提供までのユーザの順番待ち予約や、時間指定を伴った予約を管理する為の技術が提供されている。
【０００３】
例えば、飲食店等において、店舗側が予め予約用紙を用意しておき、順番待ちを行う顧客に代表者の名前と人数を記入させ、ユーザの順番待ち予約の管理を行う方法が知られている（特許文献１）。
【０００４】
また、予約の順番待ちの入力を受け付ける順番管理端末と、順番管理端末に通信ネットワークを介して接続され、順番管理端末から送信される予約の順番待ちの入力に基づいて、施設における順番待ち組のステータス情報の更新を行う管理サーバと、を備え、順番管理端末は、管理モードの設定指示を入力する入力部と、入力される前記管理モードの設定指示に従って、予約の順番待ちの入力を受け付ける第１モードと、予約の順番待ちの入力およびステータス情報の更新指示を受け付ける第２モードとの間でモード切換を行う切換制御部と、第２のモードに設定されている場合に、新規の予約の順番待ちの入力が受け付けられた際、新規の順番待ちが発生したことを通知する、新着情報通知部と、を具備し、施設における予約の順番待ちを管理する順番管理システムに関する技術が知られている（特許文献２）。
【先行技術文献】
【特許文献】
【０００５】
【特許文献１】特開２００４−９４３８０号公報
【特許文献２】特開２０１７−６８４５７号公報
【発明の概要】
【発明が解決しようとする課題】
【０００６】
例えば、店頭に設置された受付端末以外に、ユーザの所有するスマートフォンやパーソナルコンピュータなどの端末装置（以下、「ユーザ端末」とする）を介して、順番待ち予約を受け付ける予約システムが提供されている。
【０００７】
施設によっては順番待ちの組数が多くなり、長い待ち時間が発生する場合がある。そうした場合、ユーザは、ユーザ端末を介して順番待ち予約を行うことで、店舗に赴くことなく順番待ちに参加することができる。これにより、遠隔地にいるユーザが、待ち時間を利用して施設に赴くことが可能となり、効率的に順番待ち予約に参加することができる。
【０００８】
順番待ちを行っているユーザが０組（以下、「０組待ち」とする）であり、新たに順番待ち受付を行ったユーザが先頭（１組目）となる形で、順番待ちが形成される場合がある。
【０００９】
０組待ちの状態から、施設に設置された受付端末を介して順番待ち予約を受け付けた場合、空席があれば順番待ちのユーザをすぐに案内することができるし、満席であれば、空席ができるまで所定時間順番待ちのユーザに待ってもらうようなオペレーションが可能である。
【００１０】
一方で、０組待ちの状態で、遠隔地にあるユーザ端末を介して順番待ち予約を受け付けた場合、現実にユーザが施設に来訪するタイミングが予測できないことや、先に施設に来訪した他のユーザが、行列の順番としては後ろに扱われる場合（遠隔地からユーザ端末を介した第１の順番待ち予約が行われ、そのユーザの到着前に、店頭にて受付端末を介した第２の順番待ち予約が行われた場合など）が発生するため、従来技術において、０組待ちの場合に、ユーザ端末等からの順番待ち予約を受け付ける構成が、好適に実現されていないのが現状である。
【００１１】
本発明は、上記のような実状に鑑みてなされたものであり、０組待ちの状態でユーザ端末からの順番待ち予約を好適に受け付けるための予約システムを提供することを解決すべき課題とする。
【課題を解決するための手段】
【００１２】
上記課題を解決するために、本発明は、施設における順番待ち予約の管理を行う予約システムであって、
施設内に設置された端末及び、施設外にあるユーザ端末から入力された順番待ち予約を受け付け、予約の登録を行う受付手段と、
登録された予約に基づいて、順番待ち予約に関する処理を行う受付管理手段と、を備え、
前記受付手段は、待ち行列の順番待ち顧客がいない状況下で前記ユーザ端末を介して入力された第１の順番待ち予約を受け付け、予約の登録を行い、
前記受付管理手段は、前記第１の順番待ち予約が登録された場合、少なくとも他のユーザ端末を予約経路とした第２以降の順番待ち予約の受付抑止処理を行うことを特徴とする。
【００１３】
このような構成とすることで、０組待ちの状態で、来訪の時間が予測できないユーザ端末を介した予約が可能となる。ユーザ側としては、順番待ちの先頭に並ぶことができ、店頭で順番を、全く／ほとんど待つ必要がないことから来訪意欲が高まる。施設側としても、閑散とした時間帯にユーザを呼び込むことが可能となる。受付抑止処理を行うことで、第１の順番待ち予約を行ったユーザが来訪するまで、順番待ちにおけるユーザの優位性を担保することができる。
【００１４】
本発明の好ましい形態では、前記受付抑止処理は、前記第１の順番待ち予約を施設の開店時間前に受け付けた場合、行われないことを特徴とする。
【００１５】
本発明の好ましい形態では、前記受付抑止処理は、所定時間の経過により解除され、
前記所定時間は、前記第１の順番待ち予約に際してユーザ端末を介して入力されることを特徴とする。
このような構成とすることで、所定の時間の経過をもって受付抑止処理を解除し、他のユーザからの受付に対する影響を減らすことができる。
【００１６】
本発明の好ましい形態では、登録された予約情報に対して操作を行う為の変更手段を更に備え、
所定時間の経過に替えて／又は加えて、前記第１の順番待ち予約に関する予約情報に対して前記変更手段が行う所定の操作処理を転機として、前記受付抑止処理は解除されることを特徴とする。
このような構成とすることで、所定の操作処理をもって受付抑止処理を解除し、他のユーザからの受付に対する影響を減らすことができる。
【００１７】
本発明の好ましい形態では、登録された予約情報に対して操作を行う為の変更手段を更に備え、
前記変更手段は、前記ユーザ端末を介した前記第１の順番待ち予約の登録後、前記第１の順番待ち予約の来訪処理前に、施設内に設置された端末を介して第２以降の順番待ち予約が登録された場合、前記第１の順番待ち予約に先駆けて前記第２以降の順番待ち予約に対する来訪処理が可能であることを特徴とする。
このような構成とすることで、遠隔地から第１の順番待ち予約を行ったユーザが来訪する前に、店頭にて順番待ち予約を受け付けた場合に、状況に応じて案内が可能となる。
【００１８】
本発明は、施設における順番待ち予約の管理を行う予約システムにおける予約方法であって、
施設内に設置された端末及び、施設外にあるユーザ端末から入力された順番待ち予約を受け付け、予約の登録を行う受付手段が、待ち行列の順番待ち顧客がいない状況下で前記ユーザ端末を介して入力された第１の順番待ち予約を受け付け、予約の登録を行うステップと、
登録された予約に基づいて、順番待ち予約に関する処理を行う受付管理手段が、前記第１の順番待ち予約が登録された場合、少なくとも他のユーザ端末を予約経路とした第２以降の順番待ち予約の受付抑止処理を行うステップと、を有することを特徴とする。
【００１９】
本発明は、施設における順番待ち予約の管理を行う予約プログラムであって、
コンピュータを、施設内に設置された端末及び、施設外にあるユーザ端末から入力された順番待ち予約を受け付け、予約の登録を行う受付手段と、
登録された予約に基づいて、順番待ち予約に関する処理を行う受付管理手段と、として機能させ、
前記受付手段は、待ち行列の順番待ち顧客がいない状況下で前記ユーザ端末を介して入力された第１の順番待ち予約を受け付け、予約の登録を行い、
前記受付管理手段は、前記第１の順番待ち予約が登録された場合、少なくとも他のユーザ端末を予約経路とした第２以降の順番待ち予約の受付抑止処理を行うことを特徴とする。
【発明の効果】
【００２０】
本発明によれば、０組待ちの状態でユーザ端末からの順番待ち予約を好適に受け付けるための予約システムを提供することができる。
【図面の簡単な説明】
【００２１】
【図１】本発明の実施形態に係る予約システムの機能ブロック図である。
【図２】本発明の実施形態に係る予約サーバのハードウェア構成図である。
【図３】本発明の実施形態に係る予約情報の一例を示す図である。
【図４】本発明の実施形態に係る受付端末における受付画面の画面表示例である。
【図５】本発明の実施形態に係るユーザ端末における受付画面の画面表示例である。
【図６】本発明の実施形態に係るユーザ端末における受付画面の画面表示例である。
【図７】本発明の実施形態に係る順番待ちの形式の分岐を示すフローチャートである。
【図８】本発明の実施形態に係る０組待ちの状態における順番待ち予約に関するフローチャートである。
【発明を実施するための形態】
【００２２】
以下、図面を用いて、本発明に関する予約システムについて説明する。なお、以下に示す実施形態は本発明の一例であり、本発明を以下の実施形態に限定するものではなく、様々な構成を採用することもできる。
【００２３】
例えば、本実施形態では予約システムの構成、動作等について説明するが、同様の構成の方法、サーバ装置、コンピュータプログラム、記録媒体等も、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２４】
本実施形態では、飲食店の利用に際して、ユーザ（顧客）からの予約受付を行う場合について例示する。なお、本発明は、飲食店、理容院・美容院、商業施設、病院、診療所（クリニック）、公共施設、ゲームセンターや体験型アトラクションを提供するアミューズメント施設等の種々の施設において、ユーザからの予約を受け付ける場合に利用することが可能であり、利用される施設やサービスの形態には、特に制限はない。
【００２５】
また、予約の受付については、施設内に設置された受付端末及び、施設外のユーザ端末から順番待ち予約を受け付ける場合について例示する。予約経路はこれらに限られず、施設外から予約が行われる場合、例えば、ＩＶＲ（Interactive Voice Response）システムを経由した電話受付や、ＡＰＩ（Application Programming Interface）を経由した外部サービス等、種々の経路より行われても構わない。
【００２６】
本実施形態において、予約とは、ユーザが予め申し込みを行い、サービスの提供を予約するための処理を示す。本例では、ユーザが順番待ちの予約を行うことで順番待ちに参加し、順番が回ってきた際に、サービスの提供を受ける形式で、予約を受け付ける。本例における順番待ちは、ユーザが行列の最後尾に並び、順番が回ってきた際に、サービスの提供を受ける形式（以下、「順番待ち予約」とする）を含む。本例における順番待ちは、順番待ち予約に加えて、ユーザが当日又は翌日以降の未来の予約日時の指定を伴って順番に参加し、ユーザが指定した日時に、行列の先頭等の所定の順番にユーザが並ぶように順番を調整し、順番が回ってきた際に、サービスの提供を受ける時間指定を伴った順番待ち予約の形式（以下、「順番待ちの時間指定予約」とする）を含んでいてもよい。
【００２７】
ユーザが順番の最後尾に並び順番待ちに参加する場合、予約完了後、ユーザに割り当てられた番号（案内番号）が提示される。順番待ちの時間指定予約の場合には、ユーザが指定した日時が予約時間となる。ユーザは、この番号もしくは予約時間（予約日時）に基づいて、店舗に赴き、サービスの提供を受ける。順番の最後尾に並ぶ順番待ち予約の形式で順番待ちに参加する場合、ユーザに割り当てられた番号に替えて、又は加えて、先に順番待ち予約を行っている待ち組数（人数又はグループ数）、サービスの提供を行う為のスタッフや座席、窓口等のサービス提供要素数、予め設定された１顧客（１グループ）当たりのサービス提供時間等に基づいて、案内予定時間を算出し、ユーザに提示する構成としてもよい。なお、必要に応じて、待ち行列の順番待ち顧客がいない場合を０組待ち、待ち行列の順番待ち顧客がいる場合をｎ組待ち（ｎ＞０）と呼称する。
【００２８】
店舗に赴いたユーザは、自身の順番が回ってきた際に、店舗のスタッフ（従業員）や機械音声によって呼び出される。そして、その後、スタッフに案内されて座席やカウンターに移動して、現実のサービス提供を受ける。順番待ちの時間指定予約の形式で順番待ちに参加する場合には、予約時間（予約日時）の一定時間前等、所定のタイミングにて通常の順番待ちの順番に参加し、指定した時間に順番の先頭に並ぶように必要に応じて順番を調整される。
【００２９】
図１は、本発明の実施形態における予約システムの概要を示す機能ブロック図である。予約システム１は、予約サーバ２と、予約に関する情報を記憶したデータベースＤＢと、飲食店の店舗に設置され、店頭での順番待ち予約の受付に利用される受付端末２０と、受付端末２０からの要求に基づいて、受付端末２０で予約を行ったユーザに対して順番待ちの案内番号（受付番号、呼出番号）等を印字した印刷物を提供する為のプリンタ３０と、ユーザが操作し、順番待ち予約の受付けに利用されるユーザ端末４０と、店舗のスタッフが操作する店舗端末５０（施設端末）と、を備えている。
【００３０】
予約サーバ２並びに受付端末２０、ユーザ端末４０及び店舗端末５０（施設端末）は、ネットワークＮＷを介して通信可能に構成されている。受付端末２０及びプリンタ３０は、有線又は無線によって、通信可能に構成されている。
【００３１】
図２は、予約サーバ２のハードウェア構成を示す図である。予約サーバ２は、演算装置（ＣＰＵ２０１）と、主記憶装置（ＲＡＭ２０２）と、ＨＤＤやＳＳＤ、フラッシュメモリ等の補助記憶装置（記録装置２０３）と、外部の装置とネットワークＮＷを介して通信を行うためのインタフェースである通信装置２０４と、入力装置２０５と、出力装置２０６と、を備えている。また、記録装置２０３は、オペレーティングシステム２０７と、オペレーティングシステム２０７と協調してその機能を発揮する予約プログラム２０８等が記録されている。
【００３２】
受付端末２０、ユーザ端末４０、店舗端末５０（施設端末）は、ＣＰＵ等の演算装置、ＲＡＭ等の主記憶装置、ＨＤＤやＳＳＤ、フラッシュメモリ等の補助記憶装置、ネットワークＮＷへの接続手段を含む各種の入出力装置等を備えた、パーソナルコンピュータ、スマートフォン、タブレット端末等の汎用的なコンピュータ装置を用いることができる。受付端末２０は表示部を兼ねた入力部２１（タッチパネル）を備え、ユーザ端末４０は入力部４１と表示部（図示せず）を備え、店舗端末５０（施設端末）は入力部５１と表示部（図示せず）を備えている。
【００３３】
受付端末２０は、予約用のウェブページを利用する為のウェブブラウザアプリケーションを記憶している。受付端末２０は、ウェブブラウザアプリケーションに替えて、又は加えて、店舗の予約を行う為の予約アプリケーションを記憶していても構わない。
【００３４】
プリンタ３０は、受付端末２０と有線又は無線によって接続されており、受付端末２０からの印刷要求に基づいて、発券部３１での紙面への印刷を行う。
【００３５】
ユーザ端末４０は、予約用のウェブページを利用する為のウェブブラウザアプリケーションを記憶している。ユーザ端末４０は、ウェブブラウザアプリケーションに替えて、又は加えて、店舗の予約を行う為の予約アプリケーションを記憶していても構わない。
【００３６】
ユーザは、施設内に設置された受付端末２０や、ユーザが所有するスマートフォン、パーソナルコンピュータなどのユーザ端末４０を介して、予約情報の登録や変更等を行う。予約情報の変更とは、例えば、ユーザによる予約の自発的なキャンセル（取り消し）を含む。ユーザは、ある端末（例えば、受付端末２０やユーザ端末４０）を介して登録された予約情報に対して、予約を行った端末とは異なる別の端末を介して、予約情報の変更等が可能であってもよい。
【００３７】
店舗端末５０は、管理用のウェブページを利用する為のウェブブラウザアプリケーションを記憶している。店舗端末５０は、ウェブブラウザアプリケーションに替えて、又は加えて、店舗の管理を行う為の管理アプリケーションを記憶していても構わない。
【００３８】
スタッフは、店舗端末５０を介して、予約の確認や管理、予約情報の登録、変更等を行う。予約情報の変更とは、例えば、スタッフによる予約のキャンセル（取り消し）を含む。スタッフは、受付端末２０や店舗端末５０を操作して、ユーザの代わりに予約に関する情報の入力を行ってもよい。
【００３９】
本実施形態では、受付端末２０からは、順番の最後尾に並ぶ順番待ち予約の形式で受付を行い、ユーザ端末４０からは、順番待ち予約及び順番待ちの時間指定予約の形式で受付を行う。なお、ユーザ端末４０に替えて、または加えて、受付端末２０や店舗端末５０の少なくとも一方から、順番待ちの時間指定予約を受け付ける構成としてもかまわない。
【００４０】
ユーザ端末４０を介した事前の予約なしに店頭に来訪したユーザは、すでに順番待ちを行っているユーザの有無にかかわらず、受付端末２０で順番待ち予約の受付を行い（順番の最後尾に並ぶ順番待ち予約）、サービス提供を受ける。
【００４１】
予約システム１は、受付端末２０、プリンタ３０、ユーザ端末４０及び店舗端末５０を、それぞれ、１又は複数台備えている。また、受付端末２０、プリンタ３０及び店舗端末５０は、必ずしも店舗ごとに１台である必要はなく、１店舗に対して、複数台が利用されてもよい。また、受付端末２０から管理用のウェブページを利用可能にする等して、受付端末２０が店舗端末５０を兼ねるような構成としてもよい。
【００４２】
予約サーバ２は、受付手段３と、変更手段４と、受付管理手段５と、を備えている。ここで、本実施形態において予約サーバ２に含まれる機能構成を実現する為の各処理手段は、必ずしも１台のサーバ装置に含まれる必要はなく、複数のコンピュータに備えられた構成であってもよい。例えば、受付手段３、変更手段４を備え、ユーザ端末４０等から受け付けた予約の登録や変更、予約画面の設定等を行う為のサーバ装置と、その他の処理を実行するサーバ装置と、によって予約システム１が構成されてもよい。
【００４３】
データベースＤＢは、予約システム１で利用される情報を記憶している。本実施形態では、データベースＤＢは、予約情報と、その他、ユーザ端末４０を介して予約を行うユーザのユーザ情報や、店舗情報等を有している。
【００４４】
図３は、本実施形態における予約情報の一例を示す図である。図示例に示すように、予約情報のレコードは、予約の受付ＩＤと、予約を行ったユーザのユーザＩＤと、予約された店舗の店舗ＩＤと、予約を受け付けた日時を示す受付日時と、順番待ちの時間指定予約の場合に予約された日時（受付日時に対して、当日又は翌日以降の未来の日時）を示す予約日時と、予約の人数と、予約された商品内容・サービス内容、サービス提供要素等を示す予約の待ち項目と、電話番号と、予約ステータス（「案内前」、「案内済」、「不在」、「キャンセル」）を示す予約状況と、受付端末２０やユーザ端末４０等、予約が行われた端末（予約の経路）を示す予約経路と、店舗にてユーザの呼出等に利用される受付番号と、を有する。
【００４５】
予約情報には、予約の待ち項目が対応づけられていてもよい。本実施形態では、「テーブル」や「カウンター」といった、施設においてサービスを提供する為の要素に応じて、複数の待ち項目が設定されており、予約情報の受付時にユーザにより指定される。また、例えば、席の種類に替えて、又は加えて、「個別注文」、「コース」、「食べ放題」、「飲み放題」、「コース＋飲み放題」、「食べ放題＋飲み放題」といった、顧客が所望するサービスの内容に応じて、複数の待ち項目が設定されてよい。また、サービス提供要素と、サービス内容の組合せによって、待ち項目が設定されてもよい。待ち項目の設定の有無、並びに設定内容は、サービスの提供形態に応じて、適善選択することができる。
【００４６】
受付手段３は、ユーザからの予約に関する入力を受け付け、予約を登録する。受付手段３は、施設内に設置された受付端末２０及び、施設外にあるユーザ端末４０等から順番待ち予約を受け付け、予約情報をデータベースＤＢに記憶することで、予約の登録を行う。
【００４７】
本実施形態では、受付時に、受付端末２０やユーザ端末４０に表示された質問画面を介してユーザによる入力を受け付け、入力された情報（例えば、図３における人数や待ち項目、電話番号、等）を含む予約情報を記録する。
【００４８】
受付手段３は、順番待ちユーザがいる場合には、その行列の最後尾にユーザが並ぶように、順番待ち予約を受け付ける。ユーザは、順番待ちの組数や推定された待ち時間を加味して店頭に赴き、サービスの提供を受ける。
【００４９】
また、受付手段３は、待ち行列の順番待ち顧客がいない状況下、すなわち０組待ちの状態において、ユーザ端末４０を介して入力された順番待ち予約（以下、必要に応じて「第１の順番待ち予約」と呼称する）を受け付け、予約の登録を行う。
【００５０】
受付手段３は、施設の開店時間前に、０組待ちの場合又は順番待ちのユーザがいる場合に、前記ユーザ端末を介して順番待ち予約を受け付け、予約の登録を行ってもよい。
【００５１】
変更手段４は、登録された予約情報に対する操作要求を受け付けて、変更内容をデータベースＤＢに記憶する。予約情報に対する操作処理とは、例えば、ユーザ端末４０や店舗端末５０から行われるキャンセル（取り消し）処理、ステータスの変更処理、予約情報についての既読・未読の設定処理、予約日時や人数等の予約内容の変更処理、等である。ステータスの変更処理とは、例えば、予約情報のステータスを「案内済」とする来訪処理を含む。
【００５２】
図４は、受付端末２０における受付画面の画面表示例である。本実施形態における受付端末２０は、店舗に赴いたユーザからの順番待ち予約の受付や、予約を行ったユーザの順番確認等に際して利用される。
【００５３】
受付画面Ｗ１は、受付ボタンＷ１１と、一覧表示部Ｗ１２と、総組数表示部Ｗ１３と、待ち時間表示部Ｗ１４と、呼出表示部Ｗ１５と、不在表示部Ｗ１６と、を備えている。
【００５４】
ユーザが店舗に赴き、受付ボタンＷ１１を押下すると、受付手段３によって予約情報が登録され、予約が受け付けられる。予約を行ったユーザには案内番号が与えられ、一覧表示部Ｗ１２に追加表示される。
【００５５】
一覧表示部Ｗ１２には、個々の予約の案内番号や待ち時間、人数（図示例における「ご来店人数」）、等が表示されている。総組数表示部Ｗ１３には、順番待ちを行っているユーザの総組数が表示され、待ち時間表示部Ｗ１４には、これから順番待ちを行うユーザに対する待ち時間が表示されている。
【００５６】
ステータスが「案内済」となった最新の予約情報に係る案内番号は、呼出表示部Ｗ１５に表示される。店舗端末５０から変更手段４を介して予約情報のステータスを「案内済」に変更することで、呼出表示部Ｗ１５に表示するユーザが決定する。
【００５７】
不在表示部Ｗ１６には、呼出を行ったが不在だった（呼び出しに応じなかった）ユーザの案内番号が表示される。店舗端末５０から変更手段４を介して予約情報のステータスを「不在」に変更することで、不在表示部Ｗ１６に表示するユーザが決定する。呼出済みのユーザ（不在ステータス）が来店した場合には、優先的に案内を行ったり、順番待ちの所定の順番に不在だったユーザを割りこませる等の設定が、店舗端末５０から変更手段４を介して行われる。
【００５８】
図５（ａ）〜（ｄ）は、ユーザ端末４０における受付画面の画面表示例である。本実施形態における受付端末２０は、ユーザからの順番の最後尾に並ぶ順番待ち予約の受け付けや、順番待ち予約の時間指定予約の受け付けに際して利用される。
【００５９】
図５（ａ）に示すように、受付画面Ｗ２は、待ち情報表示部Ｗ２１と、順番の最後尾に並ぶ順番待ち予約を行うための予約ボタンＷ２２及び順番待ちの時間指定予約を行うための予約ボタンＷ２３と、を備えている。
【００６０】
図５（ｂ）は、予約ボタンＷ２２（順番の最後尾に並ぶ順番待ち予約を行うための予約ボタン）を押下した際に表示される予約内容の受付画面である。予約内容の受付画面Ｗ２は、内容入力部Ｗ２４と、進むボタンＷ２５（図示例における「内容確認へ進む」）と、を備えている。
【００６１】
順番待ち予約を受け付ける場合、ユーザは、内容入力部Ｗ２４を介して所望する予約内容に関する情報を入力する。図示例では、予約内容に関する情報は、予約人数の入力（図示例における「ご来店人数」）を含む。ユーザが予約内容に関する情報を入力し、進むボタンＷ２５を押下することで、確認用の受付画面に進む。
【００６２】
図５（ｃ）は、進むボタンＷ２５を押下した際に表示される確認用の受付画面である。確認用の受付画面Ｗ２は、内容表示部Ｗ２６と、進むボタンＷ２７（図示例における「順番待ち受付する」）と、戻るボタンＷ２８（図示例における「修正する」）と、を備えている。内容表示部Ｗ２６には、内容入力部Ｗ２４で入力された内容が確認可能に表示されている。ユーザは入力した内容を確認し、進むボタンＷ２７を押下して、予約完了の受付画面に進む。
【００６３】
図５（ｄ）は、進むボタンＷ２７を押下した際に表示される予約完了の受付画面である。予約完了の受付画面Ｗ２は、予約内容表示部Ｗ２９を備えている。予約内容表示部Ｗ２９には、案内番号と、内容入力部Ｗ２４で入力した内容が表示されている。
【００６４】
受付管理手段５は、登録された予約に基づいて、順番待ち予約に関する処理を行う。本実施形態では、受付管理手段５は、０組待ちの状態で、ユーザ端末４０を介して入力された第１の順番待ち予約が登録された場合、少なくとも他のユーザ端末４０を予約経路とした第２以降の順番待ち予約の受付抑止処理を行う。
【００６５】
ユーザ端末４０に限らず、遠隔地からのその他の経路で予約される場合には、第２以降の順番待ち予約の受付抑止処理を行っても構わない。また、受付抑止処理は、受付端末２０やその他の端末を介した第２以降の順番待ち予約についても、受付を抑止する処理を含んでいても構わない。
【００６６】
受付抑止処理は、所定時間の経過により解除され、順番待ち予約の受け付けが可能となる。本実施形態では、この所定時間は、第１の順番待ち予約に際してユーザ端末４０を介して入力され、受け付けられる。所定時間は、必ずしも第１の順番待ち予約に際してユーザ端末４０より入力される時間である必要はなく、あらかじめ定義された時間であってもよい。
【００６７】
例えば、第１の順番待ち予約をユーザ端末４０から受け付ける際に、「５分以内に来店しない場合は、キャンセル扱いとなります。」といった形で注意喚起を行い、予め定義された時間（５分）だけ、他のユーザ端末４０等からの第２以降の順番待ち予約の受付を抑止する処理を行ってよい。
【００６８】
また、施設の開店時間前の場合、０組待ちの状況下においてユーザ端末４０を介して順番待ち予約を受け付けても、受付抑止処理は実行されない。
【００６９】
図６（ａ）、図６（ｂ）は、ユーザ端末４０における受付画面の画面表示例である。図６は、図６（ａ）の待ち情報表示部Ｗ２１に示すように、０組待ちの状態で、ユーザ端末４０から順番待ち予約を受付場合の画面表示例である。
【００７０】
図６（ｂ）は、０組待ちの状態で、予約ボタンＷ２２（順番の最後尾に並ぶ順番待ち予約を行うための予約ボタン）を押下した際に表示される予約内容の受付画面である。内容入力部Ｗ２４は、来店までの時間（所定時間）を入力するための項目を有している。
【００７１】
ユーザは、内容入力部Ｗ２４を介して、来店までの時間を入力する。ユーザが予約内容に関する情報を入力し、進むボタンＷ２５を押下することで、確認用の受付画面に進む。受付管理手段５は、０組待ちの状態で予約（第１の順番待ち予約）が行われると、予約の際に入力された所定時間、他のユーザ端末４０を介した第２以降の順番待ち予約について、受付抑止処理を行う。
【００７２】
また、受付抑止処理は、所定時間の経過に替えて、又は加えて、前記第１の順番待ち予約に関する予約情報に対する所定の操作処理を転機として解除される。本実施形態では、所定時間の経過に加えて、例えば、第１の順番待ち予約が、変更手段４を介してキャンセル処理された場合や、来訪処理（例えば、ステータスを「案内済」に変更する処理など）された場合など、第１の順番待ち予約を行ったユーザの来訪が確定、又はユーザが来訪しないことが確定する操作処理が予約情報に行われることを転機として、受付抑止処理を解除している。
【００７３】
また、ユーザ端末４０を介した第１の順番待ち予約の登録後、予約情報（第１の順番待ち予約）に対する来訪処理前に、施設内に設置された受付端末２０を介して第２以降の順番待ち予約が登録された場合、第１の順番待ち予約に先駆けて第２以降の順番待ち予約に対して来訪処理を実施し、ユーザ（第２以降の順番待ち予約）を案内可能に構成されている。
【００７４】
これは、例えば、第１の順番待ち予約後に、受付端末２０での順番待ち予約（第２以降の順番待ち予約）まで受付抑止してしまうと、遠隔地から予約を受け付けたタイミングで店頭に来訪した他のユーザを、不必要に待たせる場合が生じる為である。
【００７５】
受付管理手段５は、受付抑止処理に加えて、又は替えて、上述の所定時間の間又は所定時間の経過時に、第１の順番待ち予約を、行列の先頭など、行列における所定の順番として扱う順番調整処理を実行してもよい。例えば、所定時間の間や、所定時間の経過時に、第１の順番待ち予約が先頭（１人目）になるように順番を調整することで、遠隔地から第１の順番待ち予約を行ったユーザの優位性を担保しつつ、第２以降の順番待ち予約を行ったユーザをケアすることが可能となる。
【００７６】
図７は、順番待ちの形式の分岐を示すフローチャートである。将来の時間指定を伴って順番待ち予約を行う場合（ステップＳ１でＹｅｓ（Ｙ））、順番待ちの時間指定予約を受け付ける（ステップＳ２）。将来の時間指定を伴って順番待ち予約を行わない場合（ステップＳ１でＮｏ（Ｎ））、ステップＳ３に進む。
【００７７】
ｎ組待ち（ｎ＞０）の場合（ステップＳ３でＮｏ（Ｎ））、通常の順番の最後尾に並ぶ順番の待ち予約を受け付ける。０組待ちの場合（ステップＳ３でＹｅｓ（Ｙ））、０組待ちの順番待ち予約を受け付ける（ステップＳ５）。
【００７８】
図８を用いて、本実施形態における０組待ちの状態での処理について説明する。図８は、０組待ちの状態における順番待ち予約に関するフローチャートである。
【００７９】
ステップＳ１１において、０組待ちの状態で、ユーザ端末４０からの順番待ち予約（第１の順番待ち予約）を受け付ける。ステップＳ１２において、第１の順番待ち予約が登録されたことにより、受付管理手段５は、順番待ち予約の抑止処理を行う。
【００８０】
順番待ち予約の抑止処理中、受付端末２０から予約を受け付けた場合（ステップＳ１３でＹｅｓ（Ｙ））、第２以降の順番待ち予約を受け付ける（ステップＳ１４）。他のユーザ端末４０等、順番待ち予約の抑止処理が行われる予約経路から予約を受け付けた場合（ステップＳ１３でＮｏ（Ｎ））、第２以降の順番待ち予約を受け付ける。
【００８１】
順番待ち予約の抑止処理は、変更手段４を介して予約（第１の順番待ち予約）に対して、所定の操作処理が実施された場合（ステップＳ１５でＹｅｓ（Ｙ））や、第１の順番待ち予約を行ったユーザが来訪せずに所定の時間が経過した場合（ステップＳ１６でＹｅｓ）、予約に対してキャンセル処理などが実施され（ステップＳ１７）、解除される。
【００８２】
順番待ち予約の抑止処理が解除されると、ｎ組待ち（ｎ＞０）の状況下における受付端末２０又はユーザ端末４０を介した順番待ち予約が受付可能となる（ステップＳ１８）。
【００８３】
本発明によれば、０組待ちの状態で、来訪の時間が予測できないユーザ端末を介した予約が可能となる。これにより、ユーザ側としては、順番待ちの先頭に並ぶことができ、店頭で順番を、全く／ほとんど待つ必要がないことから来訪意欲が高まり、施設側としても、閑散とした時間帯にユーザを呼び込むことが可能となる。
【００８４】
また、受付抑止処理を行うことで、第１の順番待ち予約を行ったユーザが来訪するまで、順番待ちにおけるユーザの優位性を担保することができ、所定の操作処理をもって受付抑止処理を解除することで、他のユーザからの受付に対する影響を減らすことができる。
【００８５】
また、遠隔地から第１の順番待ち予約を行ったユーザが来訪する前に、店頭にて順番待ち予約を受け付けた場合に、状況に応じて案内が可能となり、直接店頭に来訪したユーザを必要以上に待たせることなく、案内を行うことが可能となる。
【符号の説明】
【００８６】
１  予約システム
２  予約サーバ
２０１  ＣＰＵ
２０２  ＲＡＭ
２０３  記録装置
２０４  通信装置
２０５  入力装置
２０６  出力装置
２０７  ＯＳ
２０８  予約プログラム
３  受付手段
４  変更手段
５  受付管理手段
２０  受付端末
２１  入力部
３０  プリンタ
３１  発券部
４０  ユーザ端末
４１  入力部
５０  店舗端末
５１  入力部
ＤＢ  データベース
ＮＷ  ネットワーク
Ｗ１  受付画面
Ｗ１１  受付ボタン
Ｗ１２  一覧表示部
Ｗ１３  総組数表示部
Ｗ１４  待ち時間表示部
Ｗ１５  呼出表示部
Ｗ１６  不在表示部
Ｗ２  受付画面
Ｗ２１  待ち情報表示部
Ｗ２２  予約ボタン
Ｗ２３  予約ボタン
Ｗ２４  内容入力部
Ｗ２５  進むボタン
Ｗ２６  内容表示部
Ｗ２７  進むボタン
Ｗ２８  戻るボタン
Ｗ２９  予約内容表示部
【図１】
2019114206.tif 000003
【図２】
2019114206.tif 000004
【図３】
2019114206.tif 000005
【図４】
2019114206.tif 000006
【図５】
2019114206.tif 000007
【図６】
2019114206.tif 000008
【図７】
2019114206.tif 000009
【図８】
2019114206.tif 000010
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
施設における順番待ち予約の管理を行う予約システムであって、
施設内に設置された端末及び、施設外にあるユーザ端末から入力された順番待ち予約を受け付け、予約の登録を行う受付手段と、
登録された予約に基づいて、順番待ち予約に関する処理を行う受付管理手段と、を備え、
前記受付手段は、待ち行列の順番待ち顧客がいる状況下で前記端末又はユーザ端末を介して入力された順番待ち予約を受け付けた場合、前記待ち行列の最後尾に並ぶように、予約の登録を行い、また、待ち行列の順番待ち顧客がいない状況下で前記ユーザ端末を介して入力された第１の順番待ち予約を受け付けた場合、前記待ち行列の先頭に並ぶように、予約の登録を行い、
前記受付管理手段は、待ち行列の順番待ち顧客がいない状況下で前記ユーザ端末を介して入力された第１の順番待ち予約が登録された場合、少なくとも他のユーザ端末を予約経路とした第２以降の順番待ち予約の受付抑止処理を行い、
前記受付抑止処理は、所定時間の経過にて解除されることを特徴とする予約システム。
【請求項２】
前記受付管理手段は、前記第１の順番待ち予約を施設の開店時間前に受け付けた場合、少なくとも他のユーザ端末を予約経路とした第２以降の順番待ち予約の受付抑止処理を行わないことを特徴とする請求項１に記載の予約システム。
【請求項３】
前記所定時間は、前記第１の順番待ち予約に際してユーザ端末に択一的に表示され、来訪までの時間を指定するための選択肢を介して入力されることを特徴とする請求項１又は請求項２に記載の予約システム。
【請求項４】
登録された予約情報に対して操作を行う為の変更手段を更に備え、
所定時間の経過に替えて／又は加えて、前記第１の順番待ち予約に関する予約情報に対して前記変更手段が行う所定の操作処理を転機として、前記受付抑止処理は解除されることを特徴とする請求項１〜３の何れかに記載の予約システム。
【請求項５】
登録された予約情報に対して操作を行う為の変更手段を更に備え、
前記変更手段は、前記ユーザ端末を介した前記第１の順番待ち予約の登録後、前記第１の順番待ち予約の来訪処理前に、施設内に設置された端末を介して第２以降の順番待ち予約が登録された場合、前記第１の順番待ち予約に先駆けて前記第２以降の順番待ち予約に対する来訪処理が可能であることを特徴とする請求項１〜４の何れかに記載の予約システム。
【請求項６】
施設における順番待ち予約の管理を行う予約システムにおける予約方法であって、
施設内に設置された端末及び、施設外にあるユーザ端末から入力された順番待ち予約を受け付け、予約の登録を行う受付手段が、待ち行列の順番待ち顧客がいる状況下で前記端末又はユーザ端末を介して入力された順番待ち予約を受け付けた場合、前記待ち行列の最後尾に並ぶように、予約の登録を行い、また、待ち行列の順番待ち顧客がいない状況下で前記ユーザ端末を介して入力された第１の順番待ち予約を受け付け、前記待ち行列の先頭に並ぶように、予約の登録を行うステップと、
登録された予約に基づいて、順番待ち予約に関する処理を行う受付管理手段が、待ち行列の順番待ち顧客がいない状況下で前記ユーザ端末を介して入力された第１の順番待ち予約が登録された場合、少なくとも他のユーザ端末を予約経路とした第２以降の順番待ち予約の受付抑止処理を行うステップと、を有し、
前記受付抑止処理は、所定時間の経過にて解除されることを特徴とする予約方法。
【請求項７】
施設における順番待ち予約の管理を行う予約プログラムであって、
コンピュータを、施設内に設置された端末及び、施設外にあるユーザ端末から入力された順番待ち予約を受け付け、予約の登録を行う受付手段と、
登録された予約に基づいて、順番待ち予約に関する処理を行う受付管理手段と、として機能させ、
前記受付手段は、待ち行列の順番待ち顧客がいる状況下で前記端末又はユーザ端末を介して入力された順番待ち予約を受け付けた場合、前記待ち行列の最後尾に並ぶように、予約の登録を行い、また、待ち行列の順番待ち顧客がいない状況下で前記ユーザ端末を介して入力された第１の順番待ち予約を受け付けた場合、前記待ち行列の先頭に並ぶように、予約の登録を行い、
前記受付管理手段は、待ち行列の順番待ち顧客がいない状況下で前記ユーザ端末を介して入力された第１の順番待ち予約が登録された場合、少なくとも他のユーザ端末を予約経路とした第２以降の順番待ち予約の受付抑止処理を行い、
前記受付抑止処理は、所定時間の経過にて解除されることを特徴とする予約プログラム。